(57)【要約】      （修正有）【課題】非常脱出のための解除機能を備えたラッチ錠の受け座を提供する。【解決手段】扉錠のラッチを係止して扉を閉止状態に維持する扉錠用の受け座において、サッシュ枠に固定される固定部と、固定部に対して一方向に移動可能に付勢手段を介装して設けられ、ラッチＢに対向する位置に突起体４１を備えたスライダ４とからなるユニットと、ラッチＢの背面Ｄに当接するとともに突起体４１の進入によりラッチを支持するラッチガイドカバー２と、スライダ４を外部から操作して突起体４１を後退させる操作棹３とから構成した。【選択図】  図１
2007315008.tif 000002
【特許請求の範囲】
【請求項１】
扉錠のラッチを係止して扉を閉止状態に維持する扉錠用の受け座において、サッシュ枠に固定される固定部と、前記固定部に対して一方向に移動可能に付勢手段を介装して設けられ、ラッチに対向する位置に突起体を備えたスライダとからなるユニットと、ラッチの背面に当接するとともに前記突起体の進入によりラッチを支持するラッチガイドカバーと、前記スライダを外部から操作する操作棹とからなるラッチ錠用の非常脱出機能を備えたラッチ錠受け座。
【請求項２】
前記ラッチガイドカバーは、断面略「コ」字状に形成され、ラッチの進入方向の裏面に受け座カバーに固定するための凸部が形成されている請求項１に記載のラッチ錠用の非常脱出機能を備えたラッチ受け座。
【請求項３】
前記スライダが前記固定部に対してその両側が露出するように構成され、前記両側のいずれかに前記操作棹が取り付け可能に構成されている請求項１に記載のラッチ錠用の非常脱出機能を備えたラッチ受け座。
【発明の詳細な説明】
【技術分野】
【０００１】
本発明は、非常脱出のための解除機能を備えたラッチ錠の受け座に関する。
【背景技術】
【０００２】
握り玉やレバーを操作してラッチを出没させるように構成された扉錠は、通常、扉の端面から内部に挿入して、その端面にネジで固定するように構成され、また、受座は扉の端面と対向する柱（または壁部）の面に同じくネジで固定するに構成されている。
扉錠自体は、その耐久性がほぼ半永久的であるものの、長年の使用によりガタツキが生じた状態で使用されることにより磨耗などにより障害、たとえば扉錠の内部に設けたカムやバネ部材等が喰い込んで、まれに、ラッチが受座に係合した状態でロックしてしまい、扉を開くことが困難となり、部屋に閉じ込められてしまうという問題がある。
【０００３】
このよう問題に対処するため、本出願人は特許文献１に見られるように、扉錠と対向する面から他の面に向けて形成した切込み部に、扉錠のラッチと当接する部材を、他の面に向けてネジなどで離脱可能に取付けるようにしたものを提案した。
しかし、アルミサッシュに施工するにはそのサイズがサッシュの断面よりも大きいため、切断を余儀なくされる。
【特許文献１】特開平9-49351号公報
【発明の開示】
【発明が解決しようとする課題】
【０００４】
本発明はこのような問題に鑑みてなされたものであって、その目的とするところは、サッシュ枠に施工が可能で、しかも容易に再組み立てができる非常脱出のための解除機能を備えたラッチ錠の受けを提供することである。
【課題を解決するための手段】
【０００５】
このような課題を達成するために請求項１の発明は、扉錠のラッチを係止して扉を閉止状態に維持する扉錠用の受け座において、サッシュ枠に固定される固定部と、前記固定部に対して一方向に移動可能に付勢手段を介装して設けられ、ラッチに対向する位置に突起体を備えたスライダとからなるユニットと、ラッチの背面に当接するとともに前記突起体の進入によりラッチを支持するラッチガイドカバーと、前記スライダを外部から操作する操作棹とからなるラッチ錠用の非常脱出機能を備える。
【０００６】
また、請求項２の発明は、前記ラッチガイドカバーは、断面略「コ」字状に形成され、ラッチの進入方向の裏面に受け座カバーに固定するための凸部が形成されている。
【０００７】
さらに請求項３の発明は、前記スライダが前記固定部に対してその両側が露出するように構成され、前記両側のいずれかに前記操作棹が取り付け可能に構成されている。
【発明の効果】
【０００８】
請求項１の発明によれば、操作棹により突起体をラッチガイドカバーを支持している位置から後退させることによりラッチガイドカバーを脱落可能として、容易に開錠することができる。
また、非常脱出後は、操作棹により突起体をラッチ受け部から退避させてラッチガイドカバーを元の位置に装着し、操作棹を元の位置に戻すという簡単な操作で再組み立てすることができる。
【０００９】
請求項２の発明によれば、凸部により受け座カバーに仮止めできて容易に再組み立てできるとともに、ラッチガイドカバーのガタツキを防止できる。
【００１０】
請求項３の発明によれば、内開き、外開きの如何にかかわりなく、使用することができる。
【発明を実施するための最良の形態】
【００１１】
図１は、本発明の扉用の受け座の一実施例を内開きドアに取り付けた状態（図１において上方が室内で、矢印方向に開放可能）を示すものであって、ドアＡのラッチ錠のラッチＢが係合するサッシュ枠Ｃの受け座１は、ラッチＢのラッチＢの背面Ｄに対向する位置に着脱可能なラッチガイドカバー２を備えている。
【００１２】
このラッチガイドカバー２は、常時は操作棹３により移動可能にサッシュ枠Ｃの胴Ｅに収容された突起体４により抜けが防止されていて施錠状態を維持できる。この状態で操作棹３を一方向（紙面に垂直な方向）に移動させると、スライダ４が移動してスライダ４に設けられている突起体４１が前記一方向に移動してラッチガイドカバー２の領域から後退することによりラッチガイドカバー２が支持を失って容易に脱落する。
なお、図中符号６は、操作棹３とスライダ４とを係合するネジを、また符号Ｆは戸当たりゴムパッキンをそれぞれ示す。
【００１３】
受け座１は、サッシュ枠の胴Ｅに挿入可能なユニットとして固定部７とスライダ４との２つの部材により構成されている。
図２（イ）、（ロ）は、それぞれ固定部７の一実施例を示すものであって、本体部７ａの中央部にはラッチＢの進入側が開口７１を有するラッチ収容用の凹部７２が、また本体部７ａの両端にには凸部を有し一方の凸部はスライダ４を所定位置に規制するストッパ７３として機能し、また他方の凸部７５はスライダ４をストッパの方向に付勢するバネを受けるバネ受け部７４が形成されている。バネ受け部７４が設けられた凸部７５は、スライダ４を移動させることができるようにストッパ７３よりも薄く構成されている。なお、図中符号７６は、サッシュ枠Ｃにネジ止めするためのネジ孔を示す。
【００１４】
図３(イ)乃至（ニ）は、ぞれぞれ前述のスライダ４の一実施例を示すものであって、固定部７の本体部７ａの平面な外壁をガイドする壁４ｂを有する突条部４ａが一側よりに形成され、また他側、つまり固定部７の他方の側壁７ｃと対向する側には前述の突起体４１が形成されている。
突起体４１には固定部７のバネ受け部７４と共同してコイルバネ８を支持する凹部４１ａが形成されている。なお、図中符号４２、４３は、それぞれ操作棹３を固定するネジ孔を示す。
【００１５】
以上のように構成された固定部７とスライダ４は、図４に示したようにスライダ４の突条部４ａの側壁４ｂが固定部７の側壁７ｂに接し、かつストッパ７３の内側に位置するように重ねて配置し、バネ受け部７４と凹部４１ａとの間に圧縮バネ８を装填すると、ユニットが完成する。
好ましくは図４（ホ）に示したようにいずれか一方、この実施例ではスライダ４に移動方向に延び、かつ突起体４１を凹部７２の領域外に待避させるできる長さの長孔４４を形成し、長孔４４を貫通させて固定部７とネジで遊嵌すると分離を防止することができる。
【００１６】
スライダ４の突起体４１に支持されるラッチガイドカバー２は、図５（イ）乃至（ハ）に示したように突起体４１が進入する凹部２１を形成するように断面「コ」の字状に構成され、ラッチの進入方向側は凹部７２の開口よりも長く構成された固定面２２を有し、固定面２２の両端側裏面には受け座プレート８に形成された孔８ａ（図１）に係合可能な凸部２ａがそれぞれ形成されている。また固定面２２と対向する側は固定部７のラッチ受けとなる凹部７２よりも若干短く構成されてラッチの背面に当接するラッチ受け面２３として構成されている。
【００１７】
一方、サッシュ枠Ｃは、図６に示したようにドアＡの進入方向に対向する面Ｃ１及びドアＡの進入方向と略平行な面Ｃ２にはそれぞれラッチが進入できる程度の切欠部Ｃ３、及び操作杆３の移動を可能とする長孔Ｃ４が形成されている。なお、図中符号Ｃ５は、ラッチガイドカバー２の凸部２ａと係合する凹部、または貫通孔であり、また符号Ｃ６は、ユニットと受け座プレート８とを固定するネジの貫通孔をそれぞれ示す。
【００１８】
上述のように構成されたユニットをサッシュ枠Ｃの端部から胴Ｅに挿入して固定部７の凹部７２がサッシュ枠Ｃのラッチの進入領域となる凹部Ｃ３に対向するように位置決めし、図７(イ)に示したように表面に受け座プレート８を当ててネジによりサッシュ枠を挟むように所定位置に固定する。ついでドアの内側となる側にサッシュ枠Ｃとの間に図９に示したような長孔１１ａが形成されたパッキン板１１を介装して操作棹３をネジ６によりスライダ４に固定する。
このパッキン板１１は、操作棹３とサッシュ枠Ｃとの間にある程度の摩擦を確保して操作棹３が不用意に移動するのを防止するとともに、湿気の進入を防止するためのものである。
【００１９】
なお、ネジ止め後、図８（ハ）に示したような操作杆３のネジ６の頭部側に目隠しを兼ねて開錠方向を矢印１２ａで示すシール１２を貼着するのが望ましい。
【００２０】
図１０に示したように操作棹３により突起体４１を受け座となる凹部７２から待避させ、ついでラッチガイドカバー２の凸部２ａを受け座プレート８の孔８ａに挿入して仮止めする。そして、操作棹３を矢印とは反対方向に移動させて元の位置に復帰させると、ラッチガイドカバー２の裏面、つまり凹部２１に突起体４１が位置する。
【００２１】
これによりラッチガイドカバー２は、ラッチの進退方向を突起体４１により、また進退方向に垂直な方向を凸部１０ａにより支持されるため、ラッチガイドカバー２は抜け落ち落ちが防止された状態、つまりラッチの背面部からの応力を受け止めて係止状態を維持できる。また、ラッチガイドカバー２は、受け座カバー８に仮止めされているので、突起体４１との間に隙間が存在しても、可及的にがたつきを防止できる。
【００２２】
一方、握り玉やレバーを操作しても何らかの不都合によりラッチＢをラッチ受け部から後退させることができない場合、つまり開錠が不可能な場合には、操作棹３を矢印１２ａで表示されている方向にバネ８に抗して移動させると、図１０に示したようにスライダ４の突起体４１がラッチガイドカバー２の領域から退避し、ラッチガイドカバー２は突起体４１による支持を失う。
【００２３】
この状態で扉を開くと、ラッチガイドカバー２はラッチの圧力に耐えることができず、凸部２ａが受け座プレート８の凹部８ａから抜け、ラッチガイドカバー２が容易に脱落して開錠する。
【００２４】
開錠後、元の状態に戻すには操作棹３により突起体４１を凹部７２から退避させた状態（図１０に示す状態）でラッチガイドカバー２の突起２ａを受け座プレート８の凹部８ａに係合させ、ついで操作棹３を元の位置に戻すと、突起体４１がラッチガイドカバー２の裏面に進入して固定されることになる。
【００２５】
なお、上述の実施例においては、ラッチガイドカバーに凸部を、また受け座プレートに凹部を形成しているが、ラッチガイドカバーに凹部、または貫通孔を形成し、また受け座プレートには前記凹部または貫通孔に係合する凸部を形成しても同様の作用を奏することは明らかである。
また、上述の実施例においては内開きドアに適用した場合について説明したが、外開きドアに対しては、図１１に示したように操作棹３を反対側の側面に取り付けることにより外開きドアに適用できることは明らかである。
【００２６】
さらに、上述の実施例では回転ドアの錠の受け座に例を採って説明したが、引き戸や折り戸の他の形式の扉の錠の止め部を構成する部材の一部に適用することにより、非常解除機能を付加できることは明らかである。
【図面の簡単な説明】
【００２７】
【図１】本発明の受け座の一実施例を内開きドアに適用したした場合を施錠状態で示す断面図である。
【図２】図(イ)、(ロ)は、それぞれ受け座を構成するユニットの固定部の一実施例を示す正面図と側面図である。
【図３】図(イ)乃至（ニ）は、それぞれ受け座を構成するユニットのスライダの一実施例を示す背面図、上面図、正面図、及び側面図である。
【図４】図(イ)乃至（ホ）は、それぞれ受け座を構成するユニットの一実施例を示す背面図、上面図、正面図、側面図、及び底面図である。
【図５】図(イ)乃至（ハ）は、それぞれ受け座を構成するラッチガイドカバーの一実施例を示す側面図、上面図、及び正面図である。
【図６】図(イ)、(ロ)は、それぞれ本発明の受け座を取り付けるためのサッシュの施工例を示す上面図と正面図である。
【図７】図(イ)、(ロ)は、それぞれ本発明の受け座を取り付けた状態を示す上面図と正面図である。
【図８】図(イ)乃至（ハ）は、それぞれ操作棹の一実施例を示す上面図、正面図、及びシールの正面図である。
【図９】パッキンの一例を示す図である。
【図１０】図(イ)、(ロ)は、それぞれスライダにより突起体を待避させた状態を説明するための上面図と正面図である。
【図１１】本発明の受け座の一実施例を外開きドアに適用したした場合を施錠状態で示す断面図である。
【符号の説明】
【００２８】
１  受け座    ２  ラッチガイドカバー    ３  操作棹    ４  スライダ    ４１  突起体    ７  固定部    ８  受け座プレート
Ａ  ドア    Ｂ  ラッチ    Ｃ  サッシュ枠
【図１】
2007315008.tif 000003
【図２】
2007315008.tif 000004
【図３】
2007315008.tif 000005
【図４】
2007315008.tif 000006
【図５】
2007315008.tif 000007
【図６】
2007315008.tif 000008
【図７】
2007315008.tif 000009
【図８】
2007315008.tif 000010
【図９】
2007315008.tif 000011
【図１０】
2007315008.tif 000012
【図１１】
2007315008.tif 000013